(57)【特許請求の範囲】
【請求項１】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、
当該ヘッダ情報と共に前記情報単位に含まれている前記先頭データのうちの最初の先頭データが属する前記部分オーディオ情報を再生する時刻を示す再生時刻制御情報と、
前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、
前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている
ことを特徴とする情報記録媒体。
【請求項２】
請求項１に記載の情報記録媒体において、
前記前位置情報は、当該前位置情報が記録されている前記情報単位の前記情報記録媒体上の位置に対する、１２００個分の前記部分オーディオ情報だけ前に再生されるべき前記先頭データが記録されている前記情報単位の前記情報記録媒体上の位置を示す相対位置情報であると共に、
前記後位置情報は、当該後位置情報が記録されている前記情報単位の前記情報記録媒体上の位置に対する、１２００個分の前記部分オーディオ情報だけ後に再生されるべき前記先頭データが記録されている前記情報単位の前記情報記録媒体上の位置を示す相対位置情報であることを特徴とする情報記録媒体。
【請求項３】
請求項１または２に記載の情報記録媒体において、
前記記録情報は、前記情報単位を最下層とする物理的な階層構造を形成して前記情報記録媒体に記録されていることを特徴とする情報記録媒体。
【請求項４】
請求項３に記載の情報記録媒体において、
前記階層構造における最上層に対応する前記記録情報の先頭に、前記圧縮オーディオ情報全体に係わる再生制御情報である管理情報が記録されていることを特徴とする情報記録媒体。
【請求項５】
請求項４に記載の情報記録媒体において、
前記圧縮オーディオ情報は一又は複数の曲情報から構成され、
前記管理情報は、当該圧縮オーディオ情報を前記曲情報を単位として検索するための曲アドレス情報と、
当該圧縮オーディオ情報を前記曲情報を単位として再生したときの再生時間を示す曲再生時間情報とを、
少なくとも含むことを特徴とする情報記録媒体。
【請求項６】
原オーディオ情報を可変長圧縮して得られる圧縮オーディオ情報を分割して得られる情報単位であって、圧縮オーディオ情報とヘッダ情報とを少なくとも含む情報単位により構成されている記録情報を情報記録媒体に記録する情報記録装置であって、
前記ヘッダ情報と共に前記情報単位に含まれる圧縮オーディオ情報を再生する際に用いられる再生制御情報を生成する再生制御情報生成手段と、
前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報を生成する前位置情報生成手段と、
前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報を生成する後位置情報生成手段と、
夫々生成された前記再生制御情報、前記前位置情報及び前記後位置情報を前記ヘッダ情報として前記情報記録媒体上に記録する記録手段と、
を備え、
前記記録情報は、複数の前記情報単位を含む複数の第２情報単位で構成されており、
前記前位置情報生成手段は、前記前位置情報の代わりに、前記２情報単位内に、該当する部分オーディオ情報が無いことを示す情報を生成、又は前記後位置情報生成手段は、前記後位置情報の代わりに、前記第２情報単位内に、該当する部分オーディオ情報が無いことを示す情報を生成すること
を特徴とする情報記録装置。
【請求項７】
前記記録媒体はスタンパディスクであることを特徴とする請求項６に記載の情報記録装置。
【請求項８】
前記スタンパディスクを用いてレプリカディスクを製造するレプリケーション装置をさらに備えることを特徴とする請求項７に記載の情報記録装置。
【請求項９】
請求項６ないし８のいずれか１項に記載の情報記録装置により記録された情報記録媒体。
【請求項１０】
原オーディオ情報を可変長圧縮して得られる圧縮オーディオ情報を分割して得られる情報単位であって、圧縮オーディオ情報とヘッダ情報とを少なくとも含む情報単位により構成されている記録情報を情報記録媒体に記録する情報記録方法であって、
前記ヘッダ情報と共に前記情報単位に含まれる圧縮オーディオ情報を再生する際に用いられる再生制御情報を生成する再生制御情報生成工程と、
前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報を生成する前位置情報生成工程と、
前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報を生成する後位置情報生成工程と、
夫々生成された前記再生制御情報、前記前位置情報及び前記後位置情報を前記ヘッダ情報として前記情報記録媒体上に記録する記録工程と、
を備え、
前記記録情報は、複数の前記情報単位を含む複数の第２情報単位で構成されており、
前記前位置情報生成工程は、前記前位置情報の代わりに、前記第２情報単位内に、該当する部分オーディオ情報が無いことを示す情報を生成、又は前記後位置情報生成工程は、前記後位置情報の代わりに、前記第２情報単位内に、該当する部分オーディオ情報が無いことを示す情報を生成すること
を特徴とする情報記録方法。
【請求項１１】
前記記録媒体はスタンパディスクであることを特徴とする請求項１０に記載の情報記録方法。
【請求項１２】
前記スタンパディスクを用いてレプリカディスクを製造するレプリケーション工程をさらに備えることを特徴とする請求項１１に記載の情報記録方法。
【請求項１３】
請求項１０ないし１２のいずれか１項に記載の情報記録方法により記録された情報記録媒体。
【請求項１４】
原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生装置において、
前記前位置情報を検出する検出手段と、
前記検出された前位置情報により示される前記情報記録媒体上の位置に記録されている圧縮オーディオ情報の少なくとも一部を再生する再生手段と、
前記再生された圧縮オーディオ情報が含まれている前記情報単位内に記録されている前位置情報を新たな前位置情報として検出すると共に、当該新たな前位置情報により示される前記情報記録媒体上の位置に記録されている圧縮オーディオ情報の少なくとも一部を再生することを繰り返すように前記検出手段及び前記再生手段を制御する制御手段と、
を備えることを特徴とする情報再生装置。
【請求項１５】
原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生装置において、
前記後位置情報を検出する検出手段と、
前記検出された後位置情報により示される前記情報記録媒体上の位置に記録されている圧縮オーディオ情報の少なくとも一部を再生する再生手段と、
前記再生された圧縮オーディオ情報が含まれている前記情報単位内に記録されている後位置情報を新たな後位置情報として検出すると共に、当該新たな後位置情報により示される前記情報記録媒体上の位置に記録されている圧縮オーディオ情報の少なくとも一部を再生することを繰り返すように前記検出手段及び前記再生手段を制御する制御手段と、
を備えることを特徴とする情報再生装置。
【請求項１６】
原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生方法において、
前記前位置情報を検出する検出工程と、
前記検出された前位置情報により示される前記情報記録媒体上の位置に記録されている圧縮オーディオ情報の少なくとも一部を再生する再生工程と、
前記再生された圧縮オーディオ情報が含まれている前記情報単位内に記録されている前位置情報を新たな前位置情報として検出すると共に、当該新たな前位置情報により示される前記情報記録媒体上の位置に記録されている圧縮オーディオ情報の少なくとも一部を再生することを繰り返すように前記検出手段及び前記再生手段を制御する制御工程と、
を備えることを特徴とする情報再生方法。
【請求項１７】
原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生方法において、
前記後位置情報を検出する検出工程と、
前記検出された後位置情報により示される前記情報記録媒体上の位置に記録されている圧縮オーディオ情報の少なくとも一部を再生する再生工程と、
前記再生された圧縮オーディオ情報が含まれている前記情報単位内に記録されている後位置情報を新たな後位置情報として検出すると共に、当該新たな後位置情報により示される前記情報記録媒体上の位置に記録されている圧縮オーディオ情報の少なくとも一部を再生することを繰り返すように前記検出手段及び前記再生手段を制御する制御工程と、
を備えることを特徴とする情報再生方法。
【請求項１８】
請求項１に記載の情報記録媒体から前記圧縮オーディオ情報を再生する情報再生装置において、
前記第２情報単位は複数の第３情報単位から構成され、１の前記第３情報単位には前記複数の情報単位を含むものであって、
前記前位置情報が、前記無いことを示す情報を示すか否かを判定する判定手段と、
前記前位置情報が前記無いことを示す情報を示す場合には、直前に再生された他の前記第３情報単位が存在するか否かを確認し、当該確認結果にしたがって前記圧縮オーディオ情報の再生制御を行う制御手段と、
を備えることを特徴とする情報再生装置。
【請求項１９】
請求項１に記載の情報記録媒体から前記圧縮オーディオ情報を再生する情報再生装置において、
前記第２情報単位は複数の第３情報単位から構成され、１の前記第３情報単位には前記複数の情報単位を含むものであって、
前記後位置情報が、前記無いことを示す情報を示すか否かを判定する判定手段と、
前記後位置情報が前記無いことを示す情報を示す場合には、後続する他の前記第３情報単位が存在するか否かを確認し、当該確認結果にしたがって前記圧縮オーディオ情報の再生制御を行う制御手段と、
を備えることを特徴とする情報再生装置。
【請求項２０】
請求項１に記載の情報記録媒体から前記圧縮オーディオ情報を再生する情報再生方法において、
前記第２情報単位は複数の第３情報単位から構成され、１の前記第３情報単位には前記複数の情報単位を含むものであって、
前記前位置情報が、前記無いことを示す情報を示すか否かを判定する判定工程と、
前記前位置情報が前記無いことを示す情報を示す場合には、直前に再生された他の前記第３情報単位が存在するか否かを確認し、当該確認結果にしたがって前記圧縮オーディオ情報の再生制御を行う制御工程と、
を備えることを特徴とする情報再生方法。
【請求項２１】
請求項１に記載の情報記録媒体から前記圧縮オーディオ情報を再生する情報再生方法において、
前記第２情報単位は複数の第３情報単位から構成され、１の前記第３情報単位には前記複数の情報単位を含むものであって、
前記後位置情報が、前記無いことを示す情報を示すか否かを判定する判定工程と、
前記後位置情報が前記無いことを示す情報を示す場合には、後続する他の前記第３情報単位が存在するか否かを確認し、当該確認結果にしたがって前記圧縮オーディオ情報の再生制御を行う制御工程と、
を備えることを特徴とする情報再生方法。
【請求項２２】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、当該ヘッダ情報と共に前記情報単位に含まれている前記先頭データのうちの最初の先頭データが属する前記部分オーディオ情報を再生する時刻を示す再生時刻制御情報と、
前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、
前記再生時間軸において前記再生時刻を基準として予め設定された第２所定時間だけ後に再生されるべき前記圧縮オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている
ことを特徴とする情報記録媒体。
【請求項２３】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、当該ヘッダ情報と共に前記情報単位に含まれている前記先頭データのうちの最初の先頭データが属する前記部分オーディオ情報を再生する時刻を示す再生時刻制御情報と、
前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、
前記再生時間軸において前記再生時刻を基準として予め設定された第２所定時間だけ後に再生されるべき前記圧縮オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体から前記圧縮オーディオ情報を再生することを特徴とする情報再生装置。
【請求項２４】
請求項２３に記載の情報再生装置において、
前記第２情報単位は複数の第３情報単位から構成され、１の前記第３情報単位には前記複数の情報単位を含むものであって、
前記前位置情報が、前記無いことを示す情報を示すか否かを判定する判定手段と、
前記前位置情報が前記無いことを示す情報を示す場合には、直前に再生された他の前記第３情報単位が存在するか否かを確認し、当該確認結果にしたがって前記圧縮オーディオ情報の再生制御を行う制御手段と、
を備えることを特徴とする情報再生装置。
【請求項２５】
請求項２３に記載の情報再生装置において、
前記第２情報単位は複数の第３情報単位から構成され、１の前記第３情報単位には前記複数の情報単位を含むものであって、
前記後位置情報が、前記無いことを示す情報を示すか否かを判定する判定手段と、
前記後位置情報が前記無いことを示す情報を示す場合には、後続する他の前記第３情報単位が存在するか否かを確認し、当該確認結果にしたがって前記圧縮オーディオ情報の再生制御を行う制御手段と、
を備えることを特徴とする情報再生装置。
【請求項２６】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、当該ヘッダ情報と共に前記情報単位に含まれている前記先頭データのうちの最初の先頭データが属する前記部分オーディオ情報を再生する時刻を示す再生時刻制御情報と、
前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、
前記再生時間軸において前記再生時刻を基準として予め設定された第２所定時間だけ後に再生されるべき前記圧縮オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体から前記圧縮オーディオ情報を再生することを特徴とする情報再生方法。
【請求項２７】
請求項２６に記載の情報再生方法において、
前記第２情報単位は複数の第３情報単位から構成され、１の前記第３情報単位には前記複数の情報単位を含むものであって、
前記前位置情報が、前記無いことを示す情報を示すか否かを判定する判定工程と、
前記前位置情報が前記無いことを示す情報を示す場合には、直前に再生された他の前記第３情報単位が存在するか否かを確認し、当該確認結果にしたがって前記圧縮オーディオ情報の再生制御を行う制御工程と、
を備えることを特徴とする情報再生方法。
【請求項２８】
請求項２６に記載の情報再生方法において、
前記第２情報単位は複数の第３情報単位から構成され、１の前記第３情報単位には前記複数の情報単位を含むものであって、
前記後位置情報が、前記無いことを示す情報を示すか否かを判定する判定工程と、
前記後位置情報が前記無いことを示す情報を示す場合には、後続する他の前記第３情報単位が存在するか否かを確認し、当該確認結果にしたがって前記圧縮オーディオ情報の再生制御を行う制御工程と、
を備えることを特徴とする情報再生方法。
【請求項２９】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、当該ヘッダ情報と共に前記情報単位に含まれている前記先頭データのうちの最初の先頭データが属する前記部分オーディオ情報を再生する時刻を示す再生時刻制御情報と、
前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、
前記再生時間軸において前記再生時刻を基準として予め設定された第２所定時間だけ後に再生されるべき前記圧縮オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体に、前記圧縮オーディオ情報を記録することを特徴とする情報記録装置。
【請求項３０】
原オーディオ情報を可変長圧縮して得られる圧縮オーディオ情報を分割して得られる部分オーディオ情報を夫々に含んでいる情報単位により構成されている記録情報が記録されている情報記録媒体であって、
前記情報単位には、ヘッダ情報及び一又は複数の前記部分オーディオ情報の先頭に配置される先頭データとが含まれており、
前記ヘッダ情報中には、当該ヘッダ情報と共に前記情報単位に含まれている前記先頭データのうちの最初の先頭データが属する前記部分オーディオ情報を再生する時刻を示す再生時刻制御情報と、
前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、
前記再生時間軸において前記再生時刻を基準として予め設定された第２所定時間だけ後に再生されるべき前記圧縮オーディオ情報が記録されている前記情報記録媒体上の位置を示す後位置情報と、
が少なくとも含まれ、
前記記録情報は、複数の前記情報単位を含む複数の第２情報単位で構成されており、
前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体に、前記圧縮オーディオ情報を記録することを特徴とする情報記録方法。
【発明の詳細な説明】
【０００１】
【発明の属する技術分野】
本発明は、光ディスク等の情報記録媒体及び当該情報記録媒体に記録情報を記録する情報記録装置並びに当該情報記録媒体に記録されている記録情報を再生する情報再生装置の技術分野に属し、より詳細には、当該記録されている記録情報の再生を制御するための再生制御情報が当該記録情報と共に記録されている情報記録媒体及び当該情報記録媒体に当該記録情報と共に再生制御情報を記録する情報記録装置並びに当該情報記録媒体に記録されている記録情報を再生する情報再生装置の技術分野に属する。
【０００２】
【従来の技術】
近年、光ディスク等の情報記録媒体に対する記録容量を高めて例えば一本の映画全体を一枚の光ディスクに記録させるといった技術が開発されており、その成果として、従来のＣＤ（Compact  Disc）よりも約７倍に記録容量を高めたいわゆるＤＶＤが実用化されている。
【０００３】
そして、このＤＶＤには、上述したような映画を記録するためのいわゆるＤＶＤビデオの他に、音声情報や伴奏等の音声情報以外の音情報（以下、当該音声情報及び音情報を纏めてオーディオ情報と称する。）のみを記録したいわゆるＤＶＤオーディオも実用化されつつある。
【０００４】
ここで、ＤＶＤオーディオでは、当該ＤＶＤオーディオ（ＤＶＤオーディオフォーマットで記録されたディスク）に記録されるオーディオ情報が、例えばいわゆるリニアＰＣＭ（Pulse  Code  Modulation）等の非圧縮のオーディオ情報とされる場合がある。そして、この場合には、量子化ビット数やサンプリング周波数を大きくするとオーディオ情報が膨大になり長時間の楽曲などが一枚のＤＶＤオーディオに収録できないという問題点があった。
【０００５】
そこで、非圧縮の原オーディオ情報を圧縮した後にＤＶＤオーディオに記録するという試みが為されてきた。
【０００６】
ここで、当該原オーディオ情報を圧縮する際の方法としては、圧縮した結果得られる圧縮オーディオ情報を固定レートとする方法と、当該圧縮オーディオ情報を可変レートとする方法とがあるが、圧縮すべき原オーディオ情報における特性（具体的には、例えば単位時間内の情報量）が一つの原オーディオ情報内において時々刻々と変化することを考慮すると、後者のいわゆる可変長圧縮の方がより記録密度を向上させることができると考えられる。
【０００７】
【発明が解決しようとする課題】
しかしながら、当該可変長圧縮された圧縮オーディオ情報が記録されているＤＶＤオーディオに対して、再生制御におけるバリエーションとして、例えば早送り再生又は早戻し再生（より具体的には、現在再生している圧縮オーディオ情報の数秒後又は数秒前に再生すべき圧縮オーディオ情報に前方ジャンプ又は後方ジャンプし、当該数秒後又は数秒前の圧縮オーディオ情報を短時間（例えば０．２秒）だけ再生することを繰り返す間欠的な早送り再生又は早戻し再生。以下、両者を纏めて間欠再生と称する。）を行うとすると、記録されている圧縮オーディオ情報自体が可変長圧縮されているため、従来における当該数秒後又は数秒前の情報を検索することが困難となるという問題点があった。
【０００８】
すなわち、圧縮方法が固定レートの場合は、単位時間当たりの情報量にジャンプすべき時間を乗ずることによりジャンプすべき位置を検索することが可能となるが、圧縮方法が可変レートの場合は、単位時間あたりの情報量が変化するのでジャンプすべき位置を検索することが極めて複雑となってしまう。そして、その結果として当該早送り再生又は早戻し再生等が実行できず、圧縮オーディオ情報を再生する際のバリエーションが少なくなって再生時の自由度が著しく低下するという問題点が生じていた。
【０００９】
そこで、本発明は、上記の問題点に鑑みてなされたもので、その課題は、原オーディオ情報を可変圧縮し長時間の楽曲を記録できるようにすると共に、圧縮オーディオ情報の再生態様のバリエーションを増やして再生時の自由度を向上させることが可能な情報記録媒体及び当該情報記録媒体に圧縮オーディオ情報を記録する情報記録装置並びに当該情報記録媒体に記録されている圧縮オーディオ情報を再生する情報再生装置を提供することにある。
【００１０】
【課題を解決するための手段】
上記の課題を解決するために、請求項１に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている。
【００１１】
よって、可変長圧縮されることに起因して各情報単位に含まれる圧縮オーディオ情報の情報量が相互に異なる場合でも、再生時において前位置情報又は後位置情報を用いて再生を制御することにより、所望の位置の圧縮オーディオ情報を迅速に検索することができる。
【００１２】
上記の課題を解決するために、請求項２に記載の発明は、請求項１に記載の情報記録媒体において、前記前位置情報は、当該前位置情報が記録されている前記情報単位の前記情報記録媒体上の位置に対する、１２００個分の前記部分オーディオ情報だけ前に再生されるべき前記先頭データが記録されている前記情報単位の前記情報記録媒体上の位置を示す相対位置情報であると共に、前記後位置情報は、当該後位置情報が記録されている前記情報単位の前記情報記録媒体上の位置に対する、１２００個分の前記部分オーディオ情報だけ後に再生されるべき前記先頭データが記録されている前記情報単位の前記情報記録媒体上の位置を示す相対位置情報であるように構成される。
【００１３】
よって、前位置情報及び後位置情報が夫々に相対位置情報として記録されているので、最小限の情報量により前位置情報及び後位置情報を夫々表現することができる。
【００１４】
上記の課題を解決するために、請求項３に記載の発明は、請求項１または２に記載の情報記録媒体において、前記記録情報は、前記情報単位を最下層とする物理的な階層構造を形成して前記情報記録媒体に記録されている。
【００１５】
よって、更に効率的に前位置情報に対応する部分オーディオ情報又は後位置情報に対応する部分オーディオ情報を検索することができる。
【００１６】
上記の課題を解決するために、請求項４に記載の発明は、請求項３に記載の情報記録媒体において、前記階層構造における最上層に対応する前記記録情報の先頭に、前記圧縮オーディオ情報全体に係わる再生制御情報である管理情報が記録されている。  よって、当該管理情報と前位置情報及び後位置情報とを効果的に用いて迅速に圧縮オーディオ情報を検索することができる。
【００１７】
上記の課題を解決するために、請求項５に記載の発明は、請求項４に記載の情報記録媒体において、前記圧縮オーディオ情報は一又は複数の曲情報から構成され、前記管理情報は、当該圧縮オーディオ情報を前記曲情報を単位として検索するための曲アドレス情報と、当該圧縮オーディオ情報を前記曲情報を単位として再生したときの再生時間を示す曲再生時間情報とを、なくとも含むように構成される。
【００１８】
よって、管理情報と前位置情報及び後位置情報を用いることにより、曲毎の検索が可能であると共に、一曲内における部分的な検索又は早送り再生或いは早戻し再生が可能となる。上記の課題を解決するために、請求項６に記載の発明は、原オーディオ情報を可変長圧縮して得られる圧縮オーディオ情報を分割して得られる情報単位であって、圧縮オーディオ情報とヘッダ情報とを少なくとも含む情報単位により構成されている記録情報を情報記録媒体に記録する情報記録装置であって、前記ヘッダ情報と共に前記情報単位に含まれる圧縮オーディオ情報を再生する際に用いられる再生制御情報を生成する再生制御情報生成手段と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報を生成する前位置情報生成手段と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報を生成する後位置情報生成手段と、夫々生成された前記再生制御情報、前記前位置情報及び前記後位置情報を前記ヘッダ情報として前記情報記録媒体上に記録する記録手段と、を備え、前記記録情報は、複数の前記情報単位を含む複数の第２情報単位で構成されており、前記前位置情報生成手段は、前記前位置情報の代わりに、前記２情報単位内に、該当する部分オーディオ情報が無いことを示す情報を生成、又は前記後位置情報生成手段は、前記後位置情報の代わりに、前記第２情報単位内に、該当する部分オーディオ情報が無いことを示す情報を生成する。
【００１９】
よって、圧縮オーディオ情報と共に情報単位内に記録されるヘッダ情報内に前位置情報及び後位置情報が夫々に記録されるので、可変長圧縮されることに起因して各情報単位に含まれる圧縮オーディオ情報の情報量が相互に異なる場合でも、再生時において当該前位置情報又は後位置情報を用いて再生を制御することにより、圧縮オーディオ情報を迅速に検索することができる。
【００２０】
上記の課題を解決するために、請求項１０記載の発明は、原オーディオ情報を可変長圧縮して得られる圧縮オーディオ情報を分割して得られる情報単位であって、圧縮オーディオ情報とヘッダ情報とを少なくとも含む情報単位により構成されている記録情報を情報記録媒体に記録する情報記録方法であって、前記ヘッダ情報と共に前記情報単位に含まれる圧縮オーディオ情報を再生する際に用いられる再生制御情報を生成する再生制御情報生成工程と、  前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報を生成する前位置情報生成工程と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報を生成する後位置情報生成工程と、夫々生成された前記再生制御情報、前記前位置情報及び前記後位置情報を前記ヘッダ情報として前記情報記録媒体上に記録する記録工程と、を備え、前記記録情報は、複数の前記情報単位を含む複数の第２情報単位で構成されており、前記前位置情報生成工程は、前記前位置情報の代わりに、前記第２情報単位内に、該当する部分オーディオ情報が無いことを示す情報を生成、又は前記後位置情報生成工程は、前記後位置情報の代わりに、前記第２情報単位内に、該当する部分オーディオ情報が無いことを示す情報を生成する。
上記の課題を解決するために、請求項１４記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生装置において、前記前位置情報を検出するピックアップ等の検出手段と、前記検出された前位置情報により示される前記情報記録媒体上の位置に記録されている圧縮オーディオ情報の少なくとも一部を再生するオーディオデコーダ等の再生手段と、前記再生された圧縮オーディオ情報が含まれている前記情報単位内に記録されている前位置情報を新たな前位置情報として検出すると共に、当該新たな前位置情報により示される前記情報記録媒体上の位置に記録されている圧縮オーディオ情報の少なくとも一部を再生することを繰り返すように前記検出手段及び前記再生手段を制御するシステムコントローラ等の制御手段と、を備える。
【００２１】
よって、前位置情報を検出し、当該検出した前位置情報により示される情報記録媒体上の位置に記録されている圧縮オーディオ情報の少なくとも一部を再生し、更に当該再生した圧縮オーディオ情報と共に記録されている前位置情報を検出することを繰り返すので、可変長圧縮されている圧縮オーディオ情報を迅速に早戻し再生することができる。
【００２２】
上記の課題を解決するために、請求項１５に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記ヘッダ情報が含まれている前記情報単位の先頭に含まれている前記部分オーディオ情報から数えて１２００個分の前記部分オーディオ情報だけ前記圧縮オーディオ情報の再生時間軸上において前に再生されるべき前記部分オーディオ情報が記録されている前記情報記録媒体上の位置を示す前位置情報と、前記ヘッダ情報が含まれている前記情報単位の先頭に含まれている前記部分オーディオ情報から数えて１２００個分の前記部分オーディオ情報だけ前記再生時間軸上において後に再生されるべき前記部分オーディオ情報が記録されている前記情報記録媒体上の位置を示す後位置情報と、が少なくとも含まれている情報記録媒体から前記圧縮オーディオ情報を再生する情報再生装置において、前記後位置情報を検出する検出手段と、前記検出された後位置情報により示される前記情報記録媒体上の位置に記録されている圧縮オーディオ情報の少なくとも一部を再生する再生手段と、前記再生された圧縮オーディオ情報が含まれている前記情報単位内に記録されている後位置情報を新たな後位置情報として検出すると共に、当該新たな後位置情報により示される前記情報記録媒体上の位置に記録されている圧縮オーディオ情報の少なくとも一部を再生することを繰り返すように前記検出手段及び前記再生手段を制御する制御手段と、を備える。
【００２３】
よって、後位置情報を検出し、当該検出した後位置情報により示される情報記録媒体上の位置に記録されている圧縮オーディオ情報の少なくとも一部を再生し、更に当該再生した圧縮オーディオ情報と共に記録されている後位置情報を検出することを繰り返すので、可変長圧縮されている圧縮オーディオ情報を迅速に早送り再生することができる。
上記の課題を解決するために、請求項２２に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、前記再生時間軸において前記再生時刻を基準として予め設定された第２所定時間だけ後に再生されるべき前記圧縮オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている。
上記の課題を解決するために、請求項２３に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、前記再生時間軸において前記再生時刻を基準として予め設定された第２所定時間だけ後に再生されるべき前記圧縮オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体から前記圧縮オーディオ情報を再生する。
上記の課題を解決するために、請求項２６に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、前記再生時間軸において前記再生時刻を基準として予め設定された第２所定時間だけ後に再生されるべき前記圧縮オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体から前記圧縮オーディオ情報を再生する。
上記の課題を解決するために、請求項２９に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、前記再生時間軸において前記再生時刻を基準として予め設定された第２所定時間だけ後に再生されるべき前記圧縮オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体に、前記圧縮オーディオ情報を記録する。
上記の課題を解決するために、請求項３０に記載の発明は、原オーディオ情報を可変長圧縮して得られる圧縮オーディオ情報を分割して得られる部分オーディオ情報を夫々に含んでいる情報単位により構成されている記録情報が記録されている情報記録媒体であって、前記情報単位には、ヘッダ情報及び一又は複数の前記部分オーディオ情報の先頭に配置される先頭データとが含まれており、前記ヘッダ情報中には、当該ヘッダ情報と共に前記情報単位に含まれている前記先頭データのうちの最初の先頭データが属する前記部分オーディオ情報を再生する時刻を示す再生時刻制御情報と、前記圧縮オーディオ情報の再生時間軸において前記再生時刻制御情報によって示される再生時刻を基準として予め設定された第１所定時間だけ前に再生されるべき前記圧縮オーディオ情報が記録されている前記情報記録媒体上の位置を示す前位置情報と、前記再生時間軸において前記再生時刻を基準として予め設定された第２所定時間だけ後に再生されるべき前記圧縮オーディオ情報が記録されている前記情報記録媒体上の位置を示す後位置情報と、が少なくとも含まれ、前記記録情報は、複数の前記情報単位を含む複数の第２情報単位で構成されており、前記複数の情報単位の中には、前記前位置情報又は前記後位置情報の代わりに、前記第２情報単位内に、該当する部分オーディオ情報が無いことを示す情報を含むヘッダ情報を有する前記情報単位が含まれている情報記録媒体に、前記圧縮オーディオ情報を記録する。
【００２４】
【発明の実施の形態】
次に、本発明に好適な実施の形態について、図面に基づいて説明する。なお、以下に説明する実施の形態は、上記ＤＶＤオーディオ及び当該ＤＶＤオーディオを製造するディスク製造装置並びに当該ＤＶＤオーディオに記録されているオーディオ情報を再生する情報再生装置に対して本発明を適用した場合の実施の形態である。
【００２５】
なお、以下の実施の形態においては、下記リストの左側に示した特許請求の範囲における各構成要素の一例が、下記リストの右側に示した要素から夫々構成されている。
【００２６】
部分オーディオ情報…アクセスユニット（オーディオフレームを圧縮したもの）
情報単位…………………オーディオパック
ヘッダ情報………………プライベートヘッダ
再生時刻制御情報………パケットヘッダ内のＰＴＳ
前位置情報………………前方サーチポインタ
後位置情報………………後方サーチポインタ
管理情報…………………ＡＭＧ、ＳＡＰＰＴ及びＡＴＳＩ
曲アドレス情報…………ＡＴＳＩ内のオーディオタイトルセット・セル・プレイバック・インフォメーション・テーブルまたはＳＡＰＰＴ内のトラック・スタート・アドレス
曲再生時間情報…………オーディオタイトルセット・プログラム・インフォメーション・テーブル内のオーディオタイトルセット・プログラム・プレイバック・タイムまたはＳＡＰＰＴ内のトラック再生時間
（Ｉ）情報記録媒体の実施形態
始めに、本発明に係る情報記録媒体の実施形態である上記ＤＶＤオーディオの物理的及び論理的な構成について、図１乃至図３を用いて説明する。
【００２７】
なお、図１及び図２はＤＶＤオーディオの記録フォーマットを示す図であり、図３はＤＶＤオーディオの論理フォーマットを示す図である。
【００２８】
始めに、ＤＶＤオーディオ上におけるオーディオ情報の記録フォーマット（物理的記録フォーマット）について、図１及び図２を用いて説明する。
【００２９】
図1に示すように、実施形態の情報記録媒体としてのＤＶＤオーディオ２００は、その最内周部にリードインエリアＬＩを有すると共にその最外周部にリードアウトエリアＬＯを有し、それらの間には、一つのボリュームスペースＶＳが形成されている。
【００３０】
そして、当該ボリュームスペースＶＳ内に、リードインエリアＬＩ側から、ＤＶＤオーディオ２００内に記録されるオーディオ情報のファイル構造を管理するための情報を含むＵＤＦ（Universal  Disk  Format）２０１と、実際にオーディオ情報を含む少なくとも一つのオーディオゾーン２００’と、オーディオ情報以外の情報を含むアザーゾーン２００”が形成されている。
【００３１】
次に、オーディオゾーン２００’内に含まれるオーディオ情報は、夫々にＩＤ（識別）番号を有する複数のＡＴＳ（Audio  Title  Set）２０３（ＡＴＳ＃１〜ＡＴＳ＃ｎ）に分割されており、更に、オーディオゾーン２００’内のＡＴＳ２０３以外の部分には、当該オーディオゾーン２００’の先頭から、オーディオ情報（後述するように、実際のＤＶＤオーディオ２００においては当該オーディオ情報は可変長圧縮されている。）を２チャンネルで再生するのに必要な情報であるＳＡＰＰＴ（Simple  Audio  Play  Pointer  Table）２０４（このＳＡＰＰＴ２０４はオーディオゾーン２００’を有する全てのＤＶＤオーディオ２００内に必ず記録されている。）と、オーディオゾーン２００’内に記録されている後述するタイトルグループの再生に必要な情報であるＡＭＧ（Audio  Manager）２０２と、が記録されている。
【００３２】
そして、ＳＡＰＰＴには、２チャンネルで再生できる後述する全てのトラック（楽曲）のＤＶＤオーディオ２００上の記録位置を示す開始アドレス及び終了アドレス並びに各トラックの先頭ＰＴＳ（Presentation  Time  Stamp；ＰＴＳについては後程詳述する。）、トラック再生時間、等が記録されている。
【００３３】
また、ＡＭＧ２０２には、例えば、視聴者に対して項目選択を促すためのメニューや、違法コピー防止のための情報、又は夫々のタイトルを再生するためのアクセステーブル等、当該ＤＶＤオーディオ２００に記録されているオーディオ情報の全体に係わる情報が記録されている。
【００３４】
次に、一のＡＴＳ２０３は、ＡＴＳＩ（Audio  Title  Set  Information）２１１を先頭として、夫々にＩＤ番号を有する複数のＡＯＢ（Audio  Object）２１０から構成される。
【００３５】
ここで、複数のＡＯＢ２１０により構成されている部分を一般にＡＯＢセット（ＡＯＢＳ）という。このＡＯＢセットはオーディオ情報の実体部分を他の制御情報と区分して扱うためのものである。
【００３６】
次に、ＡＴＳ２０３の先頭に記録されるＡＴＳＩ２１１には、複数のセル（セルについては後述する。）を組みあわせた論理的区分であるプログラムチェインに関する種々の情報であるＡＴＳＰＧＣＩ（Audio   Title  Set  Program  Chain  Information）等の情報が記録される。
【００３７】
また、各ＡＯＢ２１０には、オーディオ情報の実体部分が含まれている。そして、一のＡＯＢ２１０は、夫々にＩＤ番号を有する複数のセル２２０により構成されている。
【００３８】
次に、一のセル２２０は、階層構造の最下層である夫々パック化された複数のオーディオパック２３０により構成される。ここで、オーディオパック２３０は、ＤＶＤオーディオ２００に記録されるべき可変長圧縮されたオーディオ情報を所定の大きさ毎にパック化したものである。
【００３９】
なお、一のセル２２０内には、上記オーディオパック２３０以外に、一又は複数のオーディオパック２３０に代えて、作曲者や著作権に関する情報、曲名や歌詞などのテキスト情報、インターネットのホームページへアクセスするためのアクセス情報、ＢＰＭ（Beat  Per  Minutes）又は拍情報等を含むリアルタイム情報パック（Real  Time  Information  Pack）を含ませることもできる。
【００４０】
次に、一のオーディオパック２３０には、その先頭から、パックヘッダ２４０と、当該オーディオパック２３０内においてオーディオ情報を含んでいるプライベートストリーム１（圧縮方法の一例としてのＭＰＥＧ（Moving  Picture  Expert  Group）方式で規定されているストリーム形式）のパケットであることを識別するための識別番号等が含まれているパケットヘッダ２４１と、実際に圧縮オーディオ情報を含んでいる情報単位であることを識別するための識別番及び本発明に係る１秒前又は１秒後に再生されるべきパケットのＤＶＤオーディオ２００上の記録位置を示すアドレス情報等が含まれているプライベートヘッダ２４２と、オーディオ情報の実態部分である圧縮オーディオデータ２４３とが含まれている。
このとき、パケットヘッダ２４１内に含まれている情報として具体的には、図２（ａ）に示すように、スタートコード２４１ａ（３バイト）、当該パケットヘッダ２４１に続いて記録されている情報がプライベートストリーム１であることを識別するためのフラグであるストリーム識別データ２４１ｂ（１バイト）、当該パケット自体の長さを示すパケット長さデータ２４１ｃ（２バイト）、コピーコントロール情報２４１ｄ（３バイト）、当該パケットヘッダ２４１及びプライベートヘッダ２４２に続いて記録されている圧縮オーディオ情報２４３の中に記録されているアクセスユニット（ＤＶＤオーディオ２００に記録すべきオーディオ情報を圧縮して圧縮オーディオ情報を作成する際に生成されるアクセス可能な情報の最小単位）のうち最初アクセスされるべきアクセスユニット（具体的には、図２（ｃ）において、当該圧縮オーディオ情報２４３の中に記録されているアクセスユニット２４３n-1，２４３n及び２４３n+1のうち、先頭データＴから記録されている最初のアクセスニット２４３n）の再生時刻に対応する時間を示すＰＴＳ２４１ｅ（５バイト）等がある。
【００４１】
ここで、図２（ｃ）において、アクセスユニット２４３n-1は途中から始まるアクセスユニット（それ以外のアクセスユニットの前半は直前のパックに記録されている。）である。また、アクセスユニット２４３nはこのパック内で完結しているアクセスユニットであり、先頭データＴはアクセスユニット２４３nの先頭のデータである。更に、アクセスユニット２４３n+1は途中で終わるアクセスユニット（それ以外のアクセスユニットの後半は直後のパックに記録されている。）であり、先頭データＴ’はアクセスユニット２４３n+1の先頭のデータである。
【００４２】
一方、プライベートヘッダ２４２内に含まれている情報として具体的には、図２（ｂ）に示すように、当該プライベートヘッダ２４２に続いて記録されている情報が圧縮オーディオ情報であることを識別するためのフラグであるサブストリーム識別データ２４２ａ（１バイト）、予備データ領域２４２ｂ及び２４２ｇ（計４バイト）、プライベートヘッダ２４２自体の長さを示すプライベートヘッダ長さデータ２４２ｃ（１バイト）、圧縮オーディオデータ２４３内において再生時に最初にアクセスされるべきアクセスユニットの圧縮オーディオデータ２４３内の記録位置を示すファーストアクセスユニットポインタ２４２ｄ（２バイト）、当該最初にアクセスされるべきアクセスユニット（すなわち、図２（ｃ）の例ではアクセスユニット２４３n）の再生時刻を基準とし1秒前に再生されるべきアクセスユニットの先頭データＴが記録されているパックのＤＶＤオーディオ２００上の記録位置を示す前位置情報としての前方サーチポインタ２４２ｅ（１バイト）、同様に1秒後に再生されるべきアクセスユニットの先頭データＴが記録されているパックのＤＶＤオーディオ２００上の記録位置を示す後位置情報としての後方サーチポインタ２４２ｆ（１バイト）及びプライベートヘッダ２４２自体の長さを調整するためのダミーデータであるスタッフィングバイト２４２ｈ（８バイト以下）がある。
【００４３】
ここで、上記前方サーチポインタ２４２ｅ及び後方サーチポインタ２４２ｆは、夫々に、当該前方サーチポインタ２４２ｅ及び後方サーチポインタ２４２ｆが含まれているオーディオパック２３０に対して１秒前又は１秒後に再生されるべきアクセスユニットの先頭データＴが含まれるオーディオパック２３０の記録位置を示すアドレス情報を、当該前方サーチポインタ２４２ｅ及び後方サーチポインタ２４２ｆが含まれているオーディオパック２３０に対する相対アドレスとして記述したものである。
【００４４】
また、１秒前（又は１秒後）に再生されるべきアクセスユニットの先頭データＴが含まれるオーディオパック２３０の記録位置を示すアドレス情報としたのは、後述する情報再生装置における早送り再生又は早戻し再生等において聴感上違和感を生じさせることなく効率的に当該早送り再生等を行うべく１秒前（又は１秒後）としたものである。
【００４５】
すなわち、当該時間が１秒より長いと、実際にジャンプしてから再生したい所望の時間にたどり着くまで不要な時間が必要となることとなり、一方間欠再生の場合、当該間欠時間が長くなるので不自然なものとなる。更に、当該時間が１秒より短いと、一回のジャンプの距離が短くなるので場合によってはそのまま再生を続けるよりもジャンプした方がオーディオ情報のサーチが遅くなるし、更に間欠再生も遅くなる。更にまた、オーディオ情報では映像情報と違ってコマ送り再生などがないため１秒より短い単位での再生は意味がなく、視聴者が指定する再生時間なども１秒単位であることから、「１秒」という値が最適とされるものである。
【００４６】
なお、以上説明した図１に示す階層構造の記録フォーマットにおいて、夫々の区分は、ＤＶＤオーディオ２００内に記録させるオーディオ情報の製作者（以下、単に製作者という。）がその意図に応じて自在に区分設定をして記録できるものである。そして、これらの区分毎に後述の論理構造に基づいて再生することにより、変化に富んだ種々の再生が可能となるのである。
【００４７】
次に、図１及び図２に示す物理的な区分により記録された情報を組みあわせた論理的フォーマット（論理構造）について図３を用いて説明する。
【００４８】
なお、図３に示す論理構造は、その構造で実際にＤＶＤオーディオ２００上にオーディオ情報が記録されているのではない。すなわち、ＤＶＤオーディオ２００上にはあくまでも図１及び図２に示す物理フォーマットでオーディオ情報が記録されており、このオーディオ情報を図３に示す論理構造で再生するための情報が、図２に示す物理構造で前述したＳＡＰＰＴ２０４、ＡＭＧ２０２及びＡＴＳＩ２１１等に記録されているのである。
【００４９】
説明の便宜上、図３の下位の階層から説明していくと、上記図１において説明した物理構造のうち、一又は複数のセル（又は部分曲）２２０を選択して組合せることにより、インデックス２５９が論理上構成される。このとき、インデックス２５９は、曲番としても扱うことができ、視聴者選択によってアクセス可能な最小の単位である。このインデックス２５９を用いて、例えば１つの曲をイントロ部分やサビ部分といったように区分するのである。
【００５０】
次に、一又は複数のインデックス２５９により一のトラック２６０が論理上構成される。このトラック２６０は一つの楽曲に相当する情報単位である。そして、視聴者は任意のトラック（楽曲）２６０を選択し、直接これにアクセスすることができる。
【００５１】
ここで、一のセル２２０の番号については、当該セル２２０を図１に示す物理フォーマットにおいて取り扱う際にはセルＩＤ番号として取り扱い（図１中、セルＩＤ＃と示す。）、図３に示す論理フォーマットにおいて取り扱う際には後述するＡＴＳＰＧＣＩ中の記述順にセル番号として取り扱う。
【００５２】
また、トラック２６０は、複数のセル２２０を含む情報単位であり、ある共通の属性などを有するセル２２０の集合である。すなわちトラック２６０内の全てのセル２２０の属性は全て同一である。更に、トラック２６０に含まれる全てのセル２２０はＤＶＤオーディオ２００上の同一の領域内に隣接して記録される。次に、一又は複数のトラック２６０を組みあわせて一のタイトル２６１が論理上構成される。このとき、当該タイトル２６１自体が、アクセスの単位として視聴者に認識されることはない。従って、例えば、タイトル２６１の番号を指定して任意に各タイトル２６１にアクセスすることはできない。
【００５３】
なお、ＤＶＤオーディオ２００では、タイトル２６１を構成する各トラック２６０の属性を、最大８種類の属性の中から独立に定義することができる。すなわち、各トラック２６０毎に、チャンネル数、量子化方法、サンプリング周波数等のオーディオ情報としての属性を変更することができる。
【００５４】
また、このタイトル２６１の単位で、前述したＡＴＳＰＧＣＩが定義され、当該ＡＴＳＰＧＣＩには、各トラック２６０の属性、夫々のトラック２６０を再生する際の各トラック２６０毎のセル２２０の再生順序、夫々のセル２２０のＤＶＤオーディオ２００上の記録位置であるアドレス、一のトラック２６０における再生すべき先頭のセル２２０の番号、各トラック２６０の先頭ＰＴＳ、トラック再生時間、再生方式及び各種コマンド等が含まれている。そして、一のタイトル２６１には、上記ＡＴＳ＿ＰＧＣＩの他に、実体的なオーディオ情報がトラック２６０の組みあわせとして（換言すれば、セル２２０の組みあわせとして）含まれることとなる。
【００５５】
なお、このＡＴＳＰＧＣＩは、図１の物理構造でいうＡＴＳ２０３内のＡＴＳＩ２１１中に記録されているのである。
【００５６】
次に、一又は複数のタイトル２６１により、一の上記タイトルグループ２６２が論理上構成される。このタイトルグループ２６２は、視聴者がアクセスできる最大の単位で、後述する一のボリューム２６３中に最大９個まで定義することができる。ここで、タイトルグループ２６２は、ある一定の関連性に基づいて集合された一又は複数のタイトル２６１により構成され、タイトルグループ２６２内の全てのタイトル２６１は連続的に再生される。具体的には、例えば、ある歌手、作曲家の楽曲集などを一つのタイトルグループ２６２として集合させることができる。
【００５７】
次に、一又は複数のタイトルグループ２６２により、一の上記ボリューム２６３が論理上構成される。このボリューム２６３は一枚のＤＶＤオーディオディスクの一方の面（サイド）に相当する情報単位である。
【００５８】
ここで、図３に示す一のタイトル２６１に含まれる実際のオーディオ情報は、ＤＶＤオーディオ２００上では図１に示すいずれか一のＡＴＳ２０３内に記録されている。
【００５９】
以上説明した論理フォーマットに基づいて、図１に示す物理構造において区分された各オーディオ情報内の情報区分を製作者が指定することにより、視聴者が聴取する楽曲が形成されるのである。
（II）情報記録装置の実施形態
次に、図１乃至図３に示す構成を有するオーディオ情報を記録したＤＶＤオーディオ２００を製造するための情報記録装置の実施形態について、図４乃至図７を用いて説明する。
【００６０】
なお、図４は実施形態の情報記録装置の概要構成を示すブロック図であり、図５乃至図７は当該情報記録装置の動作を示すフローチャートである。
【００６１】
また、以下に説明する実施形態の情報記録装置は、上記オーディオ情報が記録されたＤＶＤオーディオ２００を大量生産するためのマスタ（抜き型）としてのいわゆるスタンパディスクに対して上述したオーディオ情報を記録するための情報記録装置（すなわち、当該スタンパディスクを製造するためのディスク製造装置）の実施形態である。
【００６２】
初めに、実施形態の情報記録装置の全体構成及び動作について図４を用いて説明する。
【００６３】
図４に示すように、実施形態に係る情報記録装置Ｒは、マスタテープ再生部７０と、メモリ７１と、再生制御情報生成手段、前位置情報生成手段及び後位置情報生成手段としての信号処理部７２と、ハードディスク装置７３及び７４と、コントローラ７５と、多重器７６と、変調器７７と、記録手段としてのマスタリング装置７８とにより構成されている。
【００６４】
次に、動作を説明する。
【００６５】
マスタテープ再生部７０は、ＤＶＤオーディオ２００に記録すべきオーディオ情報（圧縮されていないオーディオ情報）Ｒが記録されているマスタテープを再生し、信号処理部７２からの要求により当該信号処理部７２に出力する。
【００６６】
次に、信号処理部７２は、マスタテープ再生部７０から出力されたオーディオ情報ＲをＡ／Ｄ変換した後予め設定された所定の可変長圧縮方式（例えば、上記ＭＰＥＧ方式）を用いて圧縮し、圧縮信号Ｓrとして出力する。その後、出力された圧縮信号Ｓrは、ハードディスク装置７３に一時的に記憶される。
【００６７】
これらと並行して、メモリ７１は、上記オーディオ情報Ｒの再生を制御するための制御情報（図１における、ＳＡＰＰＴ２０４、ＡＭＧ２０２、ＡＴＳＩ２１１等を含む。）が記載されたキューシートＳＴに基づき予め入力された当該制御情報を一時的に記憶し、信号処理部７２からの要求に基づいて制御情報信号Ｓiとして出力する。この制御情報信号Ｓｉには、具体的には、上記ＳＡＰＰＴ２０４、ＡＭＧ２０２、ＡＴＳＩ２１１の管理情報の元となる情報の他に、オーディオ情報Ｒをオーディオパック２３０に分割するための情報が含まれている。
【００６８】
これにより、信号処理部７２は、マスタテープ再生部７０から出力される上記オーディオ情報Ｒに対応したタイムコードＴt及びメモリ７１から出力される制御情報信号Ｓiに基づき、当該タイムコードＴtを参照して当該制御情報信号Ｓiに含まれている制御情報から曲再生時間情報等を生成し、これらを含むＳＡＰＰＴ２０４、ＡＭＧ２０２及びＡＴＳＩ２１１等の管理情報並びに各パックヘッダ２４０、パケットヘッダ２４１及びプライベートヘッダ２４２を対応する制御情報信号Ｓnavとして出力し、ハードディスク装置７４に一時的に記憶する。
【００６９】
そして、以上説明した処理がオーディオ情報Ｒ全体について実行される。
【００７０】
次に、オーディオ情報Ｒの全てについて上記の処理が終了すると、コントローラ７５は、ハードディスク装置７３から圧縮信号Ｓrを読み出すと共にハードディスク装置７４から制御情報信号Ｓnavを読み出し、これらに基づいて、最終的にＳＡＰＰＴ２０４、ＡＭＧ２０２及びＡＴＳＩ２１１等の管理情報に記録される曲アドレス情報等、各パックヘッダ２４０、パケットヘッダ２４１及び各プライベートヘッダ２４２に含まれるべき情報等を生成し、最終的な制御情報信号Ｓnavを生成し、ハードディスク装置７４に再記録する。この処理は、当該各制御情報の中には、圧縮信号Ｓrの生成結果によって、内容が定まるものがあることに起因して実行されるものである。
【００７１】
そして、この段階で、後述する処理により、圧縮信号Ｓr内に含まれている各アクセスユニットの長さ等を考慮して上述したプライベートヘッダ２４０内に挿入すべき前方サーチポインタ２４２ｅ及び後方サーチポインタ２４２ｆが生成され、制御情報信号Ｓnavとしてハードディスク装置７４に再記録されることとなる。
【００７２】
一方、コントローラ７５は、上記信号処理部７２、ハードディスク装置７３及び７４の夫々の動作の時間管理を行い、制御情報信号Ｓnavを含む付加情報信号Ｓa（先に一時的に記録されている制御情報信号Ｓnavに対応する。）をハードディスク装置７４から読み出して出力すると共に、圧縮信号Ｓrをハードディスク装置７３から読み出して出力し、更に圧縮信号Ｓrと付加情報信号Ｓaを時間軸多重するための情報選択信号Ｓccを生成して出力する。
【００７３】
その後、ハードディスク装置７３及び７４から読み出された圧縮信号Ｓr（圧縮されたオーディオ情報を含んでいる。）及び付加情報信号Ｓaは、コントローラ７５からの情報選択信号Ｓccに基づき、多重器７６により時間軸多重されて情報付加圧縮信号Ｓapとして出力される。この処理により、上述のＳＡＰＰＴ２０４、ＡＭＧ２０２、ＡＴＳＩ２１１等の管理情報と、各パックヘッダ２４０、パケットヘッダ２４１、プライベートヘッダ２４２が圧縮信号Ｓr内の圧縮されたオーディオ情報に挿入され、ＤＶＤオーディオディスクに記録されるべきオーディオ情報としての図１に示す物理構造が完成することとなる。
【００７４】
その後、変調器７７は、出力された情報付加圧縮信号Ｓapに対してリードソロモン符号等のエラー訂正コード（ＥＣＣ）の付加及び８−１６変調等の変調を施してディスク記録信号Ｓm を生成し、マスタリング装置７８に出力する。
【００７５】
最後に、マスタリング装置７８は、当該ディスク記録信号Ｓmを上記スタンパディスクに対して記録する。そして、このスタンパディスクを用いて図示しないレプリケーション装置により、一般に市販されるレプリカディスクとしてのＤＶＤオーディオ２００が製造される。
【００７６】
次に、上述した情報記録装置Ｒの動作のうち、本発明に係る上記前方サーチポインタ２４２ｅ及び後方サーチポインタ２４２ｆの生成処理及び圧縮されたオーディオ情報への挿入処理について、図５乃至図７を用いて説明する。
【００７７】
前方サーチポインタ２４２ｅ及び後方サーチポインタ２４２ｆの生成処理及び圧縮されたオーディオ情報への挿入処理においては、初めに、信号処理部７２において、圧縮されていないオーディオ情報Ｒ（この場合、当該非圧縮のオーディオ情報（言うまでもなく、ディジタル情報である。）は夫々に一定のサンプル数のオーディオ情報を含む複数のオーディオフレーム（当該オーディオフレーム個々の再生時間を１／１２００秒とする。）により構成されているとする。）をエンコードすると共に、当該オーディオフレームを更に等間隔に分割したブロック毎に可変長圧縮して圧縮信号Ｓrを生成する（ステップＳ１）。
【００７８】
そして、当該圧縮信号Ｓr内の各オーディオフレームに含まれている全データ量Ｄ(n)を当該各オーディオフレーム毎に算出し、信号処理部７２内の図示しないメモリに一時的に記憶しておく（ステップＳ２）。このステップＳ２の処理はＡＯＢ２１０毎に行われる。ここで、パラメータｎは一のＡＯＢ２１０内に含まれるべき各オーディオフレームの当該ＡＯＢ２１０の先頭からの番号を示しており、従って、一のＡＯＢ２１０内に含まれるオーディオフレームの全数をｍとすると、当該パラメータｎについては、
【００７９】
１≦ｎ≦ｍ、（ｎは自然数）
となる。
【００８０】
次に、圧縮されたオーディオ情報を各オーディオパック２３０毎に分割し、更にパックヘッダ２４０、パケットヘッダ２４１、プライベートヘッダ２４２等を付加するいわゆるパケッタイズを行う（ステップＳ３）。このとき、同時に上記ＳＡＰＰＴ２０４、ＡＭＧ２０２、ＡＴＳＩ２１１等も形成される。
【００８１】
そして、各オーディオパック２３０（パケット）内の圧縮オーディオデータ２４３内においてその先頭に位置している（すなわち、現在再生する）オーディオフレームの番号Ｎiと、当該番号Ｎiのオーディオフレームに対応するオーディオパック２３０の先頭のＤＶＤオーディオ２００上のアドレスＰka(i)を取得する（ステップＳ４）。
【００８２】
なお、実施形態のＤＶＤオーディオ２００においては、一のＡＯＢ２１０が二以上のタイトル２６１に含まれる場合がある（これを、ＡＯＢ２１０の使いまわしという。）ため、各オーディオパック２３０のアドレスはＡＯＢ２１０の単位で完結する値とされており、一のＡＯＢ２１０内の先頭のオーディオパック２３０のアドレスは常に当該アドレスにおける初期値とされている。従って、上記パラメータＮiもＡＯＢ２１０単位で初期化されつつ付与されている。
【００８３】
更に、ステップＳ４におけるパラメータｉは、一のＡＯＢ２１０内のオーディオパック２３０の数をｌとすると、
【００８４】
１≦ｉ≦ｌ、ｌ≦ｍ、（ｌ、ｍは自然数）
となる。
【００８５】
次に、各オーディオパック２３０の先頭に位置すべきオーディオフレームに対して、当該オーディオフレームの１秒前に再生されるべきオーディオフレームを含むオーディオパック２３０のアドレスＡp(i)を取得し（ステップＳ５）、更に、各オーディオパック２３０の先頭に位置すべきオーディオフレームに対して、当該オーディオフレームの１秒後に再生されるべきオーディオフレームを含むオーディオパック２３０のアドレスＡn(i)を取得する（ステップＳ６）。このステップＳ５及びＳ６の処理については、後程詳述する。
【００８６】
そして、取得したアドレスＡp(i)及びＡn(i)を夫々に前方サーチポインタ２４２ｅ及び後方サーチポインタ２４２ｆとしてプライベートヘッダ２４２に記述して処理を終了する（ステップＳ７）。
【００８７】
次に、ステップＳ５におけるアドレスＡp(i)の取得処理の細部について、図６を用いて説明する。
【００８８】
図６に示すように、ステップＳ５においては、初めに、一のＡＯＢ２１０内における各オーディオパック２３０の番号を示すパラメータｉを初期化し（ステップＳ１０）、次に、上記取得したオーディオパック２３０の先頭に位置しているオーディオフレームの番号Ｎiが「１２００（すなわち、１秒間に再生されるオーディオフレームの数）」より小さいか否かを判定する（ステップＳ１１）。
【００８９】
そして、ステップＳ１１の判定において、オーディオフレームの番号Ｎiが「１２００」より小さいときは（ステップＳ１１；Ｔ）、当該オーディオフレームが属するＡＯＢ２１０においては、当該オーディオフレームの１秒前のオーディオフレームが存在しない（換言すれば、当該オーディオフレームはＡＯＢ２１０の先頭から１秒以内にある）としてアドレスＡp(i)を「ＦＦｈ（ｈは１６進数を示す）」として（ステップＳ１３）ステップＳ１７に移行する。
【００９０】
一方、ステップＳ１１の判定において、オーディオフレームの番号Ｎiが「１２００」より小さくないときは（ステップＳ１１；Ｆ）、当該オーディオフレームが属するＡＯＢ２１０において当該オーディオフレームの１秒前のオーディオフレームが存在するとして、次に、当該１秒前のオーディオフレームが含まれているオーディオパック２３０の番号を仮に示すパラメータｊを初期化する（ステップＳ１２）。
【００９１】
そして、当該１秒前のオーディオフレームが含まれているオーディオパック２３０内の圧縮オーディオデータ２４３内においてその先頭に位置しているオーディオフレームの番号Ｎjが、上記オーディオフレームの番号Ｎiから１２００を減算した値よりも大きいか否かを判定し（ステップＳ１４）、大きくないときは（ステップＳ１４；Ｆ）、番号Ｎjにより示されるオーディオフレームは、番号Ｎiにより示されるオーディオフレーム（現在再生するオーディオフレーム）から１秒前よりも更に前に再生されるべきオーディオフレームであるので、パラメータｊの値をインクリメントし（ステップＳ１５）、再びステップＳ１４に戻る。
【００９２】
このステップＳ１４とＳ１５の処理は、現在再生するオーディオフレームに対して１秒前に再生すべきオーディオフレームの番号を検出するための処理である。
【００９３】
一方、ステップＳ１４の判定において、上記オーディオフレームの番号Ｎjが、上記オーディオフレームの番号Ｎiから１２００を減算した値よりも大きくなったときは（ステップＳ１４；Ｔ）、その番号Ｎjで示されるオーディオフレームを含むオーディオパックが現在再生するオーディオフレームに対して１秒前に再生すべきオーディオフレームを含むオーディオパックの次のオーディオパックであるとして、次に、アドレスＰka(i)から番号Ｎjのオーディオフレームを含むオーディオパックの一つ前のオーディオパック２３０の先頭のＤＶＤオーディオ２００上のアドレスＰka(j-1)を減算し、これを前方サーチポインタ２４２ｅとしてのアドレス（相対アドレス）Ａp(i)とする（ステップＳ１６）。
【００９４】
そして、パラメータｉをインクリメントし（ステップＳ１７）、更に、パラメータｉの値が上記値ｌ以下か否か、すなわち、一のＡＯＢ２１０内の全てのオーディオパック２３０についてアドレスＡp(i)の取得が完了しているかいなか否かを確認し（ステップＳ１８）、完了しているときは（ステップＳ１８；Ｆ）そのままステップＳ６へ移行し、一方完了していないときは（ステップＳ１８；Ｔ）、再びステップＳ１１に戻って上述した動作を繰り返す。
【００９５】
次に、ステップＳ６におけるアドレスＡn(i)の取得処理の細部について、図７を用いて説明する。
【００９６】
図７に示すように、ステップＳ６においては、初めに、一のＡＯＢ２１０内における各オーディオパック２３０の番号を示すパラメータｉを初期化し（ステップＳ２０）、次に、上記取得したオーディオパック２３０の先頭に位置しているオーディオフレームの番号Ｎiが「ｍ−１２００」より大きいか否かを判定する（ステップＳ２１）。
【００９７】
そして、ステップＳ２１の判定において、オーディオフレームの番号Ｎiが「ｍ−１２００」より大きいときは（ステップＳ１２；Ｔ）、当該オーディオフレームが属するＡＯＢ２１０においては、当該オーディオフレームの１秒後のオーディオフレームが存在しない（換言すれば、当該オーディオフレームはＡＯＢ２１０の最後部から手前に１秒より後の再生位置にある）としてアドレスＡn(i)を「ＦＦｈ（ｈは１６進数を示す）」として（ステップＳ２３）ステップＳ２８に移行し、一方、ステップＳ２１の判定において、オーディオフレームの番号がＮiが「ｍ−１２００」より大きくないときは（ステップＳ２１；Ｆ）、当該オーディオフレームが属するＡＯＢ２１０において当該オーディオフレームの１秒後のオーディオフレームが存在するとして、次に、当該１秒後のオーディオフレームが含まれているオーディオパック２３０の番号を仮に示すパラメータｊを初期化する（ステップＳ２２）。
【００９８】
そして、当該１秒後のオーディオフレームが含まれているオーディオパック２３０内の圧縮オーディオデータ２４３内においてその先頭に位置しているオーディオフレームの番号Ｎjが、上記オーディオフレームの番号Ｎiと１２００とを加算した値よりも大きいか否かを判定し（ステップＳ２４）、大きくないときは（ステップＳ２４；Ｆ）、番号Ｎjにより示されるオーディオフレームは、番号Ｎiにより示されるオーディオフレーム（現在再生するオーディオフレーム）から１秒後よりも更に前に再生されるべきオーディオフレームであるので、パラメータｊの値をインクリメントし（ステップＳ２５）、更に、パラメータｊの値が上記値ｌ以下か否か、すなわち、一のＡＯＢ２１０内の全てのオーディオパック２３０についてステップＳ２４の処理が完了しているかいなか否かを確認し（ステップＳ２６）、完了しているときは（ステップＳ２６；Ｆ）そのままステップＳ２７へ移行し、一方完了していないときは（ステップＳ２５；Ｔ）、再びステップＳ２４に戻る。このステップＳ２４とＳ２５の処理は、現在再生するオーディオフレームに対して１秒後に再生すべきオーディオフレームの次のオーディオフレームの番号を算出するための処理である。
【００９９】
一方、ステップＳ２４の判定において、上記オーディオフレームの番号Ｎjが、上記オーディオフレームの番号Ｎiに１２００を加算した値よりも大きくなったときは（ステップＳ２４；Ｔ）、その番号Ｎjで示されるオーディオフレームを含むオーディオパックが現在再生するオーディオフレームに対して１秒後に再生すべきオーディオフレームを含むオーディオパックの次のオーディオパックであるとして、次に、番号Ｎjのオーディオフレームを含むオーディオパックの一つ前のオーディオパック２３０の先頭のＤＶＤオーディオ２００上のアドレスＰka(j-1)からアドレスＰka(i)を減算し、これを後方サーチポインタ２４２ｆとしてのアドレス（相対アドレス）Ａn(i)とする（ステップＳ２７）。
【０１００】
そして、パラメータｉをインクリメントし（ステップＳ２８）、更に、パラメータｉの値が上記値ｌ以下か否か、すなわち、一のＡＯＢ２１０内の全てのオーディオパック２３０についてアドレスＡn(i)の取得が完了しているかいなか否かを確認し（ステップＳ２９）、完了しているときは（ステップＳ２９；Ｆ）そのままステップＳ７へ移行し、一方完了していないときは（ステップＳ２９；Ｔ）、再びステップＳ２１に戻って上述した動作を繰り返す。
（III）情報再生装置の実施形態
次に、上述のＤＶＤオーディオ２００に記録されているオーディオ情報を再生するための情報再生装置の実施形態について、図８乃至図１４を用いて説明する。
【０１０１】
なお、図８は情報再生装置の全体構成を示すブロック図であり、図９はオーディオデコーダの細部構成を示すブロック図であり、図１０乃至図１３は実施形態の情報再生装置の動作を示すフローチャートであり、図１４はタイムサーチ再生の動作を説明する図である。
【０１０２】
また、以下に説明する実施形態の情報再生装置では、ＤＶＤオーディオ２００に記録されているオーディオ情報を通常どおりに再生する他に、本発明に係る上記前方サーチポインタ２４２ｅ又は後方サーチポインタ２４２ｆを用いた早戻し再生（すなわち、前方サーチポインタ２４２ｅを用いて１秒前に再生すべきオーディオフレームにジャンプしてこれを所定時間（例えば０．２秒）だけ再生し、更に１秒前に再生すべきオーディオフレームにジャンプすることを繰り返しつつ再生すること）又は早送り再生（すなわち、後方サーチポインタ２４２ｆを用いて１秒後に再生すべきオーディオフレームにジャンプしてこれを上記所定時間だけ再生し、更に１秒後に再生すべきオーディオフレームにジャンプすることを繰り返しつつ再生すること）或いは、再生すべきオーディオフレームを予め指定してこれにジャンプして再生するいわゆるタイムサーチ再生が可能となっている。初めに、実施形態の情報再生装置の全体構成及び動作について図８及び図９を用いて説明する。
【０１０３】
図８に示すように、実施形態に係る情報再生装置Ｓは、検出手段、第１検出手段及び第２検出手段としてのピックアップ８０と、復調訂正部８１と、ストリームスイッチ８２及び８４と、トラックバッファ８３と、システムバッファ８５と、デマルチプレクサ８６と、オーディオバッファ９２と、再生手段としてのオーディオデコーダ９３と、オーディオデコーダバッファ９４と、ＲＴＩ（Real  Time  Information）バッファ９５と、ＲＴＩデコーダ９６と、ＲＴＩデコーダバッファ９７と、入力部９８と、ディスプレイ９９と、制御手段及び検索手段としてのシステムコントローラ１００と、ドライブコントローラ１０１と、スピンドルモータ１０２と、スライダモータ１０３と、により構成されている。
【０１０４】
また、図９に示すように、オーディオデコーダ９３は、デジタルフィルタ等を含む信号処理部１２０と、Ｄ／Ａコンバータ１２１と、アンプ等を含むアナログ出力回路１２２と、ディジタル出力回路１２３と、ＲＡＭ１２４ａを含むシステムマイコン１２４と、クロック回路１２５と、により構成されている。
【０１０５】
なお、図８及び図９に示す構成は、情報再生装置Ｓのうち、オーディオ情報の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。
【０１０６】
次に、動作を説明する。
【０１０７】
ピックアップ８０は、図示しないレーザダイオード、ビームスプリッタ、対物レンズ、光検出器等を含み、ＤＶＤオーディオ２００に対して再生光としての光ビームＢを照射すると共に、当該光ビームＢのＤＶＤオーディオ２００からの反射光を受光し、ＤＶＤオーディオ２００上に形成されている情報ピットに対応する検出信号Ｓpを出力する。このとき、光ビームＢがＤＶＤオーディオ２００上の情報トラックに対して正確に照射されると共にＤＶＤオーディオ２００上の情報記録面で正確に焦点を結ぶように、図示しない対物レンズに対して従来技術と同様の方法によりトラッキングサーボ制御及びフォーカスサーボ制御が施されている。
【０１０８】
次に、ピックアップ８０から出力された検出信号Ｓpは、復調訂正部８１に入力され、復調処理及び誤り訂正処理が行われて復調信号Ｓdmが生成され、ストリームスイッチ８２及びシステムバッファ８５に出力される。
【０１０９】
そして、復調信号Ｓdmが入力されたストリームスイッチ８２は、ドライブコントローラ１０１からのスイッチ信号Ｓsw1によりその開閉が制御され、閉のときには入力された復調信号Ｓdmをそのままスルーしてトラックバッファ８３に出力する。一方、ストリームスイッチ８２が開のときには、復調信号Ｓdmは出力されず従って不要な情報（信号）がトラックバッファ８３に入力されることがない。
次に、復調信号Ｓdmが入力されるトラックバッファ８３は、ＦＩＦＯ（First In First Out）メモリ等により構成され、入力された復調信号Ｓdmを一時的に記憶すると共に、ストリームスイッチ８４が閉とされているときには、記憶した復調信号Ｓdmを連続的に出力する。
【０１１０】
そして、連続的に復調信号Ｓdmが入力されるストリームスイッチ８４は、デマルチプレクサ８６における分離処理において、後段の各種バッファがオーバーフローしたり、逆に空になってデコード処理が中断することがないように、システムコントローラ１００からのスイッチ信号Ｓsw2により開閉が制御される。
【０１１１】
一方、トラックバッファ８３と並行して復調信号Ｓdmが入力されるシステムバッファ８５は、ＤＶＤオーディオ２００をローディングしたときに最初に検出され、ＤＶＤオーディオ２００に記録されている情報全体に関する管理情報（ＡＭＧ２０２等）又はＡＴＳ２０３毎のＡＴＳＩ２１１を蓄積して第１再生制御情報Ｓcとしてシステムコントローラ１００に出力する
これらにより、ストリームスイッチ８４を介して復調信号Ｓdmが連続的に入力されたデマルチプレクサ８６においては、当該復調信号Ｓdmから各オーディオパック２３０毎に圧縮されたオーディオ情報を抽出し、オーディオ信号Ｓadとしてオーディオバッファ９２に出力する。
【０１１２】
このとき、デマルチプレクサ８６は、各オーディオパック２３０及びパケットからパックヘッダ２４０及びパケットヘッダ２４１等を抽出し、夫々に含まれる再生制御情報をヘッダ信号Ｓhdとしてシステムコントローラ１００に出力する。
次に、オーディオ信号Ｓadが入力されるオーディオバッファ９２は、ＦＩＦＯメモリ等により構成され、入力されたオーディオ信号Ｓadを一時的に蓄積し、オーディオデコーダ９３に出力する。
【０１１３】
そして、オーディオデコーダ９３は、システムコントローラ１００から出力される制御信号Ｓhc及びＳcaに基づいて、オーディオ信号Ｓadに対して可変長圧縮に対応する解凍処理及び復調処理等を施し、復調オーディオ信号Ｓaddとして図示しないスピーカ等に出力する。
【０１１４】
一方、例えばリアルタイムテキスト等の上記リアルタイム情報は、デマルチプレクサ８６からＲＴＩバッファ９５に出力される。そして、ＲＴＩバッファ９５に一時的に蓄積されたリアルタイム情報は、システムコントローラ１００から出力される制御信号Ｓhcに基づいてＲＴＩデコーダ９６へと出力され、更に図示しないディスプレイ等え出力され、歌詞等の表示が行われる。
【０１１５】
なお、所望の情報へのアクセス直後の再生等において一時的に音の出力を中断する（ポーズする）必要があることが検出された場合には、システムコントローラ１００から図示しないポーズ信号がオーディオデコーダ９３に出力され、当該オーディオデコーダ９３は一時的に復調オーディオ信号Ｓaddの出力を停止する。
【０１１６】
次に、オーディオデコーダ９３における具体的な処理について説明する。
【０１１７】
上述したオーディオデコーダ９３の処理において、システムマイコン１２４は、システムコントローラ１００との間で制御信号Ｓca（信号処理部１２０で復調されたプライベートヘッダ情報を含む）の授受を行うと共にオーディオデコーダバッファ９４との間で情報の授受を行いつつ、信号処理部１２０における処理の基準クロックとなるクロック信号Ｓclkを生成するクロック回路１２５、実際の解凍処理及び復調処理を行う信号処理部１２０、復調されたオーディオ情報をアナログ信号に変換するＤ／Ａコンバータ１２１及びアナログ化されたオーディオ情報に対して増幅等の処理を施すアナログ出力回路１２２の動作制御を行う。
【０１１８】
ここで、システムマイコン１２４は、その内部にＲＡＭ１２４ａを有しており、当該ＲＡＭ１２４ａは、システムコントローラ１００から制御信号Ｓcaの一部として供給されるオーディオ属性情報を一時的に記憶する。そして、システムマイコン１２４は、ＲＡＭ１２４ａ内に記憶された当該オーディオ属性情報を参照し、その内容をクロック回路１２５及び信号処理部１２０へ供給する。
【０１１９】
より具体的には、システムマイコン１２４は、オーディオ属性情報中のサンプリング周波数情報をクロック回路１２５へ供給する。そして、発振器を備えるクロック回路１２５は、指示されたサンプリング周波数に対応するクロック信号Ｓclkを信号処理部１２０へ供給する。
【０１２０】
これと並行して、システムマイコン１２４は、オーディオ属性情報中のサンプリング周波数、量子化ビット数、チャンネル数、エンファシスの有無の情報を信号処理部１２０へ供給し、Ｄ／Ａコンバータ１２１へチャンネル数情報を提供する。
【０１２１】
更にシステムマイコン１２４は、アナログ出力回路１２２へ、各チャンネルの信号の増幅度などの情報を供給する。このとき、各チャンネル毎の増幅度の情報は、オーディオ属性情報に含めて、システムコントローラ１００から供給することができる。
【０１２２】
なお、プライベートヘッダ中に含まれる前方サーチポインタ２４２ｅ及び後方サーチポインタ２４２ｆは、信号処理部１２０で復調されシステムマイコン１２４を介し制御信号Ｓcaとしてシステムコントローラ１００に出力されて後述する早戻し再生又は早送り再生或いはタイムサーチ再生に供される。
【０１２３】
一方、信号処理部１２０は、クロック回路１２５からのクロック信号Ｓclkを使用し、システムマイコン１２４から得た可変長圧縮方式に対応する符号化方式、サンプリング周波数、量子化ビット数などの情報に従って、オーディオバッファ９２から供給される圧縮オーディオ信号の解凍、復号及び帯域制限等の処理を行い、更に、エンファシスの有無の情報に従ってディエンファシス処理を行い、Ｄ／Ａコンバータ１２１へ出力する。更に、信号処理部１２０は、プライベートヘッダ２４２の復調をも行いシステムマイコン１２４へ制御信号Ｓcaとして供給する。
【０１２４】
これらと並行して、信号処理部１２０は、ディジタル出力回路１２３を介してディジタルオーディオ信号Ｓaddを外部へ出力する。
【０１２５】
そして、Ｄ／Ａコンバータ１２１は、システムマイコン１２４から得たチャンネル情報に従って、入力された信号をチャンネル毎に分割し、さらに各チャンネル毎のアナログ信号としてアナログ出力回路１２２へ出力する。
【０１２６】
次に、上述した情報再生装置Ｓにおいて実行される、プライベートヘッダ２４２内の前方サーチポインタ２４２ｅ又は後方サーチポインタ２４２ｆを用いた早戻し再生、早送り再生及びタイムサーチ再生の細部処理について、図１０乃至図１４を用いて説明する。
【０１２７】
初めに、早送り再生の処理について、図１０に示すフローチャートを用いて説明する。
【０１２８】
情報再生装置Ｓにおける早送り再生においては、初めに、現在再生しているオーディオフレームのアドレスＡc(i)を取得する（ステップＳ３０）。ここで、パラメータｉは、上記情報記録装置Ｒにおける前方サーチポインタ２４２ｅ及び後方サーチポインタ２４２ｆの生成の場合と同様に、現在再生しているオーディオフレームが含まれているオーディオパック２３０の番号を示すパラメータである。
【０１２９】
次に、プライベートヘッダ２４２中の後方サーチポインタ２４２ｆをシステムマイコン１２４において検出することにより、１秒後に再生されるべきオーディオパックのＤＶＤオーディオ２００上の相対アドレスＡn(i)を取得する（ステップＳ３１）。
【０１３０】
そして、現在再生している一のオーディオフレーム内の圧縮オーディオ情報を全て再生し（ステップＳ３２）、次に、当該取得したアドレスＡn(i)の値が「ＦＦｈ」か否かを判定する（ステップＳ３３）。
【０１３１】
ステップＳ３３の判定において、アドレスＡn(i)の値が「ＦＦｈ」であるときは（ステップＳ３３；Ｔ）、現在再生しているオーディオフレームは一のＡＯＢ２１０の最後部から１秒前以後に再生されるべきオーディオフレームであるとして、後方サーチポインタ２４２ｆを使用することなく、次に、後続する他のセル２２０が存在しているか否かを、管理情報であるＡＭＧ２０２、ＡＴＳＩ２１１内の管理情報等を参照して確認し（ステップＳ３５）、後続するセル２２０がないときは（ステップＳ３５；Ｆ）、最早、早送り再生はできないとして処理を終了する。
【０１３２】
一方、ステップＳ３５の判定において、後続するセル２２０があるときは（ステップＳ３６）、当該後続するセル２２０の開始位置のアドレスＡcsを、例えばＡＭＧ２０２、ＡＴＳＩ２１１内の管理情報等を参照して取得し（ステップＳ３６）、更に当該取得したアドレスＡcsを検索して（ステップＳ３７）、当該検索したアドレスＡcsを起点として早送り再生を行うべくステップＳ３０へ戻る。
【０１３３】
また、ステップＳ３３の判定において、アドレスＡn(i)の値が「ＦＦｈ」でないときは（ステップＳ３３；Ｆ）、現在再生しているオーディオフレームが属するＡＯＢ２１０内で１秒後に再生する他のオーディオフレームが存在するとして、後方サーチポインタ２４２ｆを使用し、次に検索すべきアドレス（Ａc(i)＋Ａn(i)）を検索し（ステップＳ３４）、当該検索したアドレス（Ａc(i)＋Ａn(i)）を起点として早送り再生を行うべくステップＳ３０へ戻る。
【０１３４】
以上の処理より、後方サーチポインタ２４２ｆを用いた早送り再生が実行される。
【０１３５】
次に、早戻し再生の処理について、図１１に示すフローチャートを用いて説明する。
【０１３６】
情報再生装置Ｓにおける早戻し再生においては、初めに、早送り再生の場合と同様に、現在再生しているオーディオフレームのアドレスＡc(i)を取得する（ステップＳ３０）。
【０１３７】
次に、プライベートヘッダ２４２中の前方サーチポインタ２４２ｅをシステムマイコン１２４において検出することにより、１秒前に再生されるべきオーディオパックのＤＶＤオーディオ２００上の相対アドレスＡp(i)を取得する（ステップＳ３８）。
【０１３８】
そして、現在再生している一のオーディオフレーム内の圧縮オーディオ情報を全て再生し（ステップＳ３９）、次に、当該取得したアドレスＡp(i)の値が「ＦＦｈ」か否かを判定する（ステップＳ４０）。
【０１３９】
ステップＳ４０の判定において、アドレスＡp(i)の値が「ＦＦｈ」であるときは（ステップＳ４０；Ｔ）、現在再生しているオーディオフレームは一のＡＯＢ２１０の先頭から１秒後以前に再生されるべきオーディオフレームであるとして、前方サーチポインタ２４２ｅを使用することなく、次に、直前に再生された他のセル２２０が存在しているか否かを、例えばＡＭＧ２０２、ＡＴＳＩ２１１内の管理情報等を参照して確認し（ステップＳ４２）、直前に再生されたセル２２０がないときは（ステップＳ４２；Ｆ）、最早、早戻し再生はできないとして処理を終了する。
【０１４０】
一方、ステップＳ４２の判定において、直前に再生されたセル２２０があるときは（ステップＳ４２）、当該直前に再生されたセル２２０の最終アドレス（すなわち、当該再生されたセル２２０における最終オーディオフレームの開始アドレス）Ａceを、例えばＡＭＧ２０２、ＡＴＳＩ２１１内の管理情報等を参照して取得し（ステップＳ４３）、更に当該取得したアドレスＡceを検索して（ステップＳ４４）、当該検索したアドレスＡceを起点として早戻し再生を行うべくステップＳ３０へ戻る。
【０１４１】
なお、ステップＳ４３の処理においては、上述した直前に再生されたセル２２０の最終アドレスは、ＤＶＤオーディオ２００中には記述されていないので、実際の処理では、先ず、直前に再生されたセル２２０そのものの最終アドレスからオーディオフレームの大きさの最大値を減算したアドレスにジャンプし、その位置から後に最初に検出されたオーディオフレームの先頭を、当該直前に再生されたセル２２０の最終アドレスと認識することとなる。
【０１４２】
また、ステップＳ４０の判定において、アドレスＡp(i)の値が「ＦＦｈ」でないときは（ステップＳ４０；Ｆ）、現在再生しているオーディオフレームが属するＡＯＢ２１０内で１秒前に再生された他のオーディオフレームが存在するとして、前方サーチポインタ２４２ｅを使用し、次に検索すべきアドレス（Ａc(i)−Ａp(i)）を検索し（ステップＳ４１）、当該検索したアドレス（Ａc(i)−Ａp(i)）を起点として早戻し再生を行うべくステップＳ３０へ戻る。
【０１４３】
以上の処理より、前方サーチポインタ２４２ｅを用いた早戻し再生が実行される。
【０１４４】
最後に、タイムサーチ再生の処理について、図１２及び図１３に示すフローチャート及び図１４を用いて説明する。
【０１４５】
なお、タイムサーチ再生とは、システムコントローラ１００が指定した任意の再生開始位置や、視聴者がリモコンや入力部９８を通じて指定したトラック番号（曲番号）とそのトラックの先頭からの経過時間（例えば１０番目のトラックの先頭から１分後というように指定する。）に相当する位置から再生することである。
【０１４６】
なお、以下のタイムサーチ再生においては、ｎ番目の１曲に相当するトラック２６０におけるサーチ時間ｔsの位置のオーディオフレームから再生するものとする。
【０１４７】
情報再生装置Ｓにおけるタイムサーチ再生においては、初めに、ｎ番目のトラック２６０の先頭ＰＴＳであるtfac（図１４参照）と、その全再生時間ｔp（図１４参照）を、例えばＡＭＧ２０２内の管理情報とＡＴＳＩ２１１内の管理情報を参照して取得する（ステップＳ５０）。なお、これらのＰＴＳや全再生時間を得る具体的な方法は、いわゆるＤＶＤビデオを再生するプレーヤ等において周知であるので説明を省略する。
【０１４８】
ここで、ＰＴＳとは、各オーディオフレームをスピーカ等から出力すべき再生時間軸上の再生時刻を示す時刻情報であり、各パケットヘッダ２４１毎に記述されていると共に、上記ＡＴＳＩ２１１に各トラックの先頭値が記述されている。
次に、ｎ番目のトラック２６０内の最初のセル２２０の開始位置を示すアドレスＡcs（図１４参照）と、最後のセル２２０の終了位置を示すアドレスＡce（図１４参照）とを、同じく例えばＡＴＳＩ２１１内の管理情報等を参照して取得する（ステップＳ５１）。
【０１４９】
そして、サーチ時間ｔs経過後の予想アドレスＡa（図１４参照）を図１２に示す式により算出する（ステップＳ５２）。
【０１５０】
次に、算出したアドレスＡaの後に再生されるべきパケットのうちの最初のパケットを検索し（ステップＳ５３）、当該パケットにおける上記ＰＴＳをtpts（図１４参照）として検出する（ステップＳ５４）。
【０１５１】
そして、ｎ番目のトラック２６０における再生時間と再生データ量との関係が一次関数的に変化すると仮定した場合における当該ｎ番目のトラック２６０内の経過時間（tpts− tfac）とサーチ時間ｔsとの誤差が１０秒以内か否かを判定する（ステップＳ５５）。
【０１５２】
ステップＳ５５の判定において、経過時間（tpts− tfac）とサーチ時間ｔsとの誤差が１０秒以内であるときは（ステップＳ５５；Ｔ）、アドレスＡaの後に再生されるべきパケットのうちの最初のパケットがサーチ時間ｔsに近いパケットであるとして、次に、上記前方サーチポインタ２４２ｅ及び後方サーチポインタ２４２ｆを用いてタイムサーチ再生を行って（ステップＳ５９）処理を終了する。このステップＳ５９の動作については、後程詳述する。
【０１５３】
ここで、ステップＳ５５の判定において閾値として用いた１０秒という時間は、ｎ番目のトラック２５９における再生時間と再生データ量との関係が一次関数的に変化すると仮定してアドレスを算出し、その誤差を検出して再度当該一次関数的に変化するという仮定を用いてアドレスを算出することを繰り返すタイムサーチ再生よりも上記前方サーチポインタ２４２ｅ及び後方サーチポインタ２４２ｆを用いてタイムサーチ再生を行った方が迅速にサーチ時間ｔsを検索できる時間として設定されるものである。
【０１５４】
一方、ステップＳ５５の判定において、経過時間（tpts− tfac）とサーチ時間ｔsとの誤差が１０秒以内でないときは（ステップＳ５５；Ｆ）、次に、経過時間（tpts− tfac）とサーチ時間ｔsとの大小関係を判定し（ステップＳ５６）、経過時間（tpts− tfac）の方がサーチ時間ｔsよりも大きいときは（ステップＳ５６；Ｔ）、アドレスＡaの後に再生されるべきパケットのうちの最初のパケットがサーチ時間ｔsに対応するパケットよりも後に位置しているとして、図１２に示す式を用いて新たなアドレスＡaを算出することにより時間的に前方に戻る方向に検索位置を修正し（ステップＳ５８）、再びステップＳ５３に戻って新たなアドレスＡaを起点として今までの処理を繰り返す。
【０１５５】
更に、ステップＳ５６の判定において、経過時間（tpts− tfac）の方がサーチ時間ｔsよりも小さいときは（ステップＳ５６；Ｆ）、アドレスＡaの後に再生されるべきパケットのうちの最初のパケットがサーチ時間ｔsに対応するパケットよりも前に位置しているとして、図１２に示す式を用いて新たなアドレスＡaを算出することにより時間的に後方に戻る方向に検索位置を修正し（ステップＳ５７）、再びステップＳ５３に戻って新たなアドレスＡaを起点として今までの処理を繰り返す。
【０１５６】
次に、ステップＳ５９の処理について、図１３を用いて詳説する。
【０１５７】
ステップＳ５９の処理においては、初めに、経過時間（tpts− tfac）がサーチ時間ｔsと等しいか否か、すなわち、アドレスＡaの後に再生されるべきパケットのうちの最初のパケットがサーチ時間ｔsに対応するパケットに一致しているか否かを判定し（ステップＳ６０）、一致しているときは（ステップＳ６０；Ｔ）、そのまま再生を行って（ステップＳ６８）、タイムサーチを終了する。
【０１５８】
一方、ステップＳ６０の判定において、経過時間（tpts− tfac）がサーチ時間ｔsと等しくないときは（ステップＳ６０；Ｆ）、次に、経過時間（tpts− tfac）とサーチ時間ｔsの大小関係を判定し（ステップＳ６１）、経過時間（tpts− tfac）の方がサーチ時間ｔsよりも大きいときは（ステップＳ６１；Ｔ）、アドレスＡaの後に再生されるべきパケットのうちの最初のパケットがサーチ時間ｔsに対応するパケットよりも後に位置しているとして、次に、前方サーチポインタ２４２ｅを用いて１秒前に再生されるべきオーディオフレームを含むオーディオパックの先頭にジャンプし（ステップＳ６６）、次に、当該ジャンプしたオーディオパックに対応するパケットのＰＴＳ（すなわち、tpts）について、経過時間（tpts− tfac）がサーチ時間ｔs以下となったか否かを判定し（ステップＳ６９）、サーチ時間ｔs以下となっているときは（ステップＳ６９；Ｔ）、そのまま再生を開始してもほぼサーチ時間ｔsと一致するタイミングから再生できるとしてステップＳ６８へ移行し、一方サーチ時間ｔs以下となっていないときは（ステップＳ６９；Ｆ）、再びステップＳ６６へ戻って前方サーチポインタ２４２ｅを用いたジャンプを行う。
【０１５９】
次に、ステップＳ６１の判定において、経過時間（tpts− tfac）の方がサーチ時間ｔsよりも大きくないときは（ステップＳ６１；Ｆ）、アドレスＡaの後に再生されるべきパケットのうちの最初のパケットがサーチ時間ｔsに対応するパケットよりも前に位置しているとして、次に、後方サーチポインタ２４２ｆを用いて１秒後に再生されるべきオーディオフレームにジャンプし（ステップＳ６２）、再度、経過時間（tpts− tfac）がサーチ時間ｔsに等しくなったかを判定し（ステップＳ６３）、等しくなったときは（ステップＳ６３；Ｔ）そのままステップＳ６８へ移行し、等しくないときは（ステップＳ６３；Ｆ）、次に、再度経過時間（tpts− tfac）とサーチ時間ｔsの大小関係を判定し（ステップＳ６４）、経過時間（tpts− tfac）の方がサーチ時間ｔsよりも大きいときは（ステップＳ６４；Ｔ）、ステップＳ６６と同様に前方サーチポインタ２４２ｅを用いて１秒前に再生されるべきオーディオフレームにジャンプし（ステップＳ６５）、そのアドレス位置から再生を開始する（ステップＳ６８）。
【０１６０】
また、ステップＳ６４の判定において、経過時間（tpts− tfac）の方がサーチ時間ｔsよりも大きくないときは（ステップＳ６４；Ｆ）、アドレスＡaの後に再生されるべきパケットのうちの最初のパケットがサーチ時間ｔsに対応するパケットよりも前に位置しているとして、ステップＳ６２に戻る。
【０１６１】
以上説明した処理により、前方サーチポインタ２４２ｅ及び後方サーチポインタ２４２ｆを用いたタイムサーチ再生が実行される。
【０１６２】
以上説明したように、実施形態のＤＶＤオーディオ２００及び情報記録装置Ｒによれば、オーディオパック２３０内に圧縮オーディオデータ２４３と共に記録されているプライベートヘッダ２４２中に、前方サーチポインタ２４２ｅと後方サーチポインタ２４２ｆとが少なくとも含まれているので、可変長圧縮されることに起因して各オーディオパック２３０に含まれる圧縮オーディオデータ２４３の情報量が相互に異なる場合でも、再生時において前方サーチポインタ２４２ｅと後方サーチポインタ２４２ｆを用いて再生を制御することにより、迅速に再生すべき圧縮オーディオデータ２４３を検索することができる。
【０１６３】
また、前方サーチポインタ２４２ｅと後方サーチポインタ２４２ｆが相対アドレスとして記録されているので、最小限の情報量により前方サーチポインタ２４２ｅと後方サーチポインタ２４２ｆを夫々表現することができる。
【０１６４】
更に、前方サーチポインタ２４２ｅと後方サーチポインタ２４２ｆが夫々１秒前後に再生すべきオーディオフレームを含むオーディオパックを示しているので、再生時に、自然な聴感を損なうことなく効率的に早送り再生等の種々の再生制御を行うことができる。
【０１６５】
また実施形態の情報再生装置Ｓの動作によれば、可変長圧縮されたオーディオ情報を再生する際にも、早送り再生、早戻し再生及びタイムサーチ再生を効率的に行うことができる。
【０１６６】
【発明の効果】
以上説明したように、請求項１に記載の発明によれば、情報単位内に圧縮オーディオ情報と共に記録されているヘッダ情報中に、再生制御情報として前位置情報と後位置情報とが少なくとも含まれているので、可変長圧縮されることに起因して各情報単位に含まれる圧縮オーディオ情報の情報量が相互に異なる場合でも、再生時において前位置情報又は後位置情報を用いて再生を制御することにより、圧縮オーディオ情報を迅速に検索することができる。
【０１６７】
従って、情報記録媒体に記録可能な情報量を増大させるべく原オーディオ情報を可変長圧縮して記録しこれを再生する場合でも、前位置情報に対応する部分オーディオ情報又は後位置情報に対応する部分オーディオ情報を迅速に検索することにより、例えば早送り再生や早戻し再生、或いは再生すべき圧縮オーディオ情報を予め指定した上での当該圧縮オーディオ情報の再生が可能となって、当該圧縮オーディオ情報を再生する際の自由度を向上させることができる。
【０１６８】
これにより、結果として再生時の自由度を向上させたまま原オーディオ情報を可変長圧縮して記録することにより当該原オーディオ情報の記録容量を向上させることができる。
【０１６９】
請求項６に記載の発明によれば、圧縮オーディオ情報と共に情報単位内に記録されるヘッダ情報内に前位置情報及び後位置情報が夫々に記録されるので、可変長圧縮されることに起因して各情報単位に含まれる圧縮オーディオ情報の情報量が相互に異なる場合でも、再生時において当該前位置情報又は後位置情報を用いて再生を制御することにより、圧縮オーディオ情報を迅速に検索することができる。
【０１７０】
従って、情報記録媒体に記録可能な情報量を増大させるべく原オーディオ情報を可変長圧縮して記録しこれを再生する場合でも、前部分オーディオ情報又は後部分オーディオ情報を迅速に検索することにより、例えば早送り再生や早戻し再生、或いは再生すべき圧縮オーディオ情報を予め指定した上での当該圧縮オーディオ情報の再生が可能となって、当該圧縮オーディオ情報を再生する際の自由度を向上させることができる。
【０１７１】
これにより、結果として再生時の自由度を向上させたまま原オーディオ情報を可変長圧縮して記録することにより当該原オーディオ情報の記録容量を向上させることができる。
【０１７２】
請求項１４に記載の発明によれば、圧縮オーディオ情報と共に情報単位内に記録されている前位置情報を検出し、当該検出した前位置情報により示される情報記録媒体上の位置に記録されている圧縮オーディオ情報の少なくとも一部を再生し、更に当該再生した圧縮オーディオ情報と共に記録されている前位置情報を検出することを繰り返すので、可変長圧縮されている圧縮オーディオ情報を迅速に早戻し再生することができる。
【０１７３】
従って、情報記録媒体に記録可能な情報量を増大させるべく原オーディオ情報を可変長圧縮して記録しこれを再生する場合でも、前部分オーディオ情報を迅速に検索することにより早戻し再生が可能となって、当該圧縮オーディオ情報を再生する際の自由度を向上させることができる。
【０１７４】
これにより、結果として再生時の自由度を向上させたまま原オーディオ情報を可変長圧縮して記録することにより当該原オーディオ情報の記録容量を向上させることができる。
【０１７５】
請求項１５に記載の発明によれば、圧縮オーディオ情報と共に情報単位内に記録されている後位置情報を検出し、当該検出した後位置情報により示される情報記録媒体上の位置に記録されている圧縮オーディオ情報の少なくとも一部を再生し、更に当該再生した圧縮オーディオ情報と共に記録されている後位置情報を検出することを繰り返すので、可変長圧縮されている圧縮オーディオ情報を迅速に早送り再生することができる。
【０１７６】
従って、情報記録媒体に記録可能な情報量を増大させるべく原オーディオ情報を可変長圧縮して記録しこれを再生する場合でも、後部分オーディオ情報を迅速に検索することにより早送り再生が可能となって、当該圧縮オーディオ情報を再生する際の自由度を向上させることができる。
【０１７７】
これにより、結果として再生時の自由度を向上させたまま原オーディオ情報を可変長圧縮して記録することにより当該原オーディオ情報の記録容量を向上させることができる。
【図面の簡単な説明】
【図１】実施形態のＤＶＤオーディオの物理フォーマットを示す図である。
【図２】ヘッダ又はデータ等の物理フォーマットを示す図であり、（ａ）はパケットヘッダの物理フォーマットを例示する図であり、（ｂ）はプライベートヘッダの物理フォーマットを示す図であり、（ｃ）は圧縮オーディオデータの物理フォーマットを例示する図である。
【図３】実施形態のＤＶＤオーディオの論理フォーマットを示す図である。
【図４】情報記録装置の概要構成を示すブロック図である。
【図５】実施形態の情報記録処理を示すフローチャートである。
【図６】前方サーチポインタの取得処理を示すフローチャートである。
【図７】後方サーチポインタの取得処理を示すフローチャートである。
【図８】情報再生装置の概要構成を示すブロック図である。
【図９】オーディオデコーダの概要構成を示すブロック図である。
【図１０】早送り再生時の処理を示すフローチャートである。
【図１１】早戻し再生時の処理を示すフローチャートである。
【図１２】タイムサーチ再生の処理を示すフローチャート（Ｉ）である。
【図１３】タイムサーチ再生の処理を示すフローチャート（II）である。
【図１４】タイムサーチ再生の処理を説明する図である。
【符号の説明】
７０…マスタテープ再生部
７１…メモリ
７２…信号処理部
７３、７４…ハードディスク装置
７５…コントローラ
７６…多重器
７７…変調器
７８…マスタリング装置
８０…ピックアップ
８１…復調訂正部
８２、８４…ストリームスイッチ
８３…トラックバッファ
８５…システムバッファ
８６…デマルチプレクサ
９２…オーディオバッファ
９３…オーディオデコーダ
９４…オーディオデコーダバッファ
９５…ＲＴＩバッファ
９６…ＲＴＩデコーダ
９７…ＲＴＩデコーダバッファ
９８…入力部
９９…ディスプレイ
１００…システムコントローラ
１００ａ…メモリ
１０１…ドライブコントローラ
１０２…スピンドルモータ
１０３…スライダモータ
１２０…信号処理部
１２１…Ｄ／Ａコンバータ
１２２…アナログ出力回路
１２３…ディジタル出力回路
１２４…システムマイコン
１２４ａ…ＲＡＭ
１２５…クロック回路
２００…ＤＶＤオーディオ
２００'…オーディオゾーン
２００"…アザーゾーン
２０１…ＵＤＦ
２０２…ＡＭＧ
２０３…ＡＴＳ
２０４…ＳＡＰＰＴ
２１０…ＡＯＢ
２１１…ＡＴＳＩ
２２０…セル
２３０…オーディオパック
２４０…パックヘッダ
２４１…パケットヘッダ
２４１ａ…スタートコード
２４１ｂ…ストリーム識別データ
２４１ｃ…パケット長さデータ
２４１ｄ…コピーコントロール情報
２４１ｅ…ＰＴＳ
２４２…プライベートヘッダ
２４２ａ…ストリーム識別データ
２４２ｂ、２４２ｇ…予備データ領域
２４２ｃ…プライベートヘッダ長さデータ
２４２ｄ…ファーストアクセスユニットポインタ
２４２ｅ…前方サーチポインタ
２４２ｆ…後方サーチポインタ
２４２ｈ…スタッフィングバイト
２４３…圧縮オーディオデータ
２４３n-1、２４３n、２４３n+1…アクセスニット
２５９…インデックス
２６０…トラック
２６１…タイトル
２６２…タイトルグループ
２６３…ボリューム
Ｒ…情報記録装置
Ｓ…情報再生装置
Ｔ…先頭データ
Ｔt…タイムコード
Ｒ…オーディオ情報
Ｂ…光ビーム
ＬＩ…リードインエリア
ＬＯ…リードアウトエリア
ＳＴ…キューシート
Ｓr…圧縮信号
Ｓi、Ｓnav…制御情報信号
Ｓa…付加情報信号
Ｓcc…情報選択信号
Ｓm…ディスク記録信号
Ｓap…情報付加圧縮信号
Ｓp …検出信号
Ｓdm…復調信号
Ｓsw1、Ｓsw2…スイッチ信号
Ｓin…入力信号
Ｓdp…表示信号
Ｓc、Ｓhc、Ｓca…制御信号
Ｓhd…ヘッダ信号
Ｓad…オーディオ信号
Ｓadd …復調オーディオ信号
【図１】
0004077264.tif 000002
【図２】
0004077264.tif 000003
【図３】
0004077264.tif 000004
【図４】
0004077264.tif 000005
【図５】
0004077264.tif 000006
【図６】
0004077264.tif 000007
【図７】
0004077264.tif 000008
【図８】
0004077264.tif 000009
【図９】
0004077264.tif 000010
【図１０】
0004077264.tif 000011
【図１１】
0004077264.tif 000012
【図１２】
0004077264.tif 000013
【図１３】
0004077264.tif 000014
【図１４】
0004077264.tif 000015